(57)【要約】【課題】解決しようとする問題点は、刈刃を地面と平行に左右に移動させるだけでは刈刃の上面に刈草が残ることと、その刈草が原因して刈刃の上面中心部に刈草が巻き付くことにある。【解決手段】刈払機の駆動源に基端部が取り付けられた支持ロッドの先端に刈刃が取り付けられ、支持ロッド内を挿通した動力伝達手段を介して前記駆動源の動力が前記刈刃に伝達される刈払機であって、支持ロッドの延長線上における刈刃の刈刃切欠の近傍に達する鶏冠状の突起を刈刃表面と小許の隙間を介して支持ロッドに設けることにより、刈刃を地面と平行に左右に移動させるだけで刈草を振るい落とすことができ、刈刃の上面中心部に刈草が巻き付くことを防止できる。【選択図】図１
2012055237.tif 000002
【特許請求の範囲】
【請求項１】
駆動源に基端部が取り付けられた支持ロッドの先端に刈刃が取り付けられ、支持ロッド内を挿通した動力伝達手段を介して前記駆動源の動力が前記刈刃に伝達される刈払機であって、支持ロッドの延長線上における刈刃の刈刃切欠の近傍に達する鶏冠状の突起を刈刃表面と小許の隙間を介して支持ロッドに設けたことを特徴とする刈払機。
【発明の詳細な説明】
【技術分野】
【０００１】
本発明は、刈払機に関するものである。
【背景技術】
【０００２】
刈払機は、草等の上を左右に振りながら草等を刈り取る農具である。刈払機は、刈刃を地面と平行に左右に移動させるだけでは刈草が刈刃上面に残り、刈刃が回転するために刈刃の上面中心部に刈草が巻き付き、その都度エンジンを停止して巻き付いた刈草を除去しなければならず、作業効率が悪いという問題点があった。
【０００３】
この対策として、刈刃上面に残った刈草を刈刃をやや傾斜させて刈刃の上面で押し払うように左右に移動させる必要があったが、刈払機を左右に振る度に手に持ったハンドルを左右上下させる必要があり、肩こりの一因となっていた。
【先行技術文献】
【特許文献】
【０００４】
【特許文献１】特開２００８−１４２０７２号公報
【発明の概要】
【発明が解決しようとする課題】
【０００５】
本発明が解決しようとする問題点は、刈刃を地面と平行に左右に移動させるだけでは刈刃の上面に刈草が残ることと、その刈草が原因して刈刃の上面中心部に刈草が巻き付くことにある。
【課題を解決するための手段】
【０００６】
本発明は、駆動源に基端部が取り付けられた支持ロッドの先端に刈刃が取り付けられ、支持ロッド内を挿通した動力伝達手段を介して前記駆動源の動力が前記刈刃に伝達される刈払機であって、支持ロッドの延長線上における刈刃の刈刃切欠の近傍に達する鶏冠状の突起を刈刃表面と小許の隙間を介して支持ロッドに設けたことを特徴とする。
【発明の効果】
【０００７】
本発明の刈払機は、駆動源に基端部が取り付けられた支持ロッドの先端に刈刃が取り付けられ、支持ロッド内を挿通した動力伝達手段を介して前記駆動源の動力が前記刈刃に伝達される刈払機であって、支持ロッドの延長線上における刈刃の刈刃切欠の近傍に達する鶏冠状の突起を刈刃表面と小許の隙間を介して支持ロッドに設けたことを特徴とするものであるから、刈られた刈草は鶏冠状の突起に保持されるが、刈刃を地面と平行に左右に移動させるだけでその刈草を振るい落とすことができるという効果がある。
【図面の簡単な説明】
【０００８】
【図１】図１は本発明の刈込機の要部平面図である。
【図２】図２は同上の刈込機の要部断面図である。
【図３】図３は同上の刈込機に取り付ける鶏冠状の突起の平面図である。
【図４】図４は同上の刈込機に取り付ける鶏冠状の突起の正面図である。
【発明を実施するための形態】
【０００９】
以下、本発明について、実施例の図示例とともに説明する。
【実施例１】
【００１０】
刈払機Kは、駆動源（図示せず）に基端部が取り付けられた支持ロッド１の先端に刈刃２が取り付けられ、支持ロッド１内を挿通した動力伝達手段（図示せず）を介して前記駆動源の動力が前記刈刃２に伝達されるものであって、支持ロッド１の延長線上における刈刃２の刈刃切欠３の近傍に達する鶏冠状の突起４が刈刃２表面と小許の隙間を介して支持ロッド１に設けられている。
【００１１】
刈刃２は、外周縁部に刈刃切欠３が形成され、チップ５を溶着したチップ刈刃６が形成されている。
【００１２】
鶏冠状の突起４は、合成樹脂材で板状に形成されていて、下面は刈払機Kの形状に対応した形状になっており、上面は先端から後端に向かって滑らかに上り傾斜になっていて一部に平坦部７が形成されている。
【００１３】
鶏冠状の突起４は、支持ロッド１に複数のねじ８により着雑自在に螺着されている。ねじ８の頭をねじ穴９から突出させて着脱性を良くしている。
【００１４】
刈払刃１は、先端駆動軸１０にワッシャ１１を介してねじ１２で連結されている。先端駆動軸１０は、駆動軸（図示せず）にベベルギア（図示せず）を介して連結されている。
【００１５】
鶏冠状の突起４と刈刃２表面との隙間は、なるべく狭い方が望ましく、実施例では１ミリメートルにしている。鶏冠状の突起４は、実施例では支持ロッド１の延長線上における刈刃２の刈刃切欠３から１０ミリメートルの位置に設けられている。
【００１６】
鶏冠状の突起４は、合成樹脂材で板状に形成したが、木質材で形成しても構わないし、刈草を保持し易くするために断面が凹状の円弧に形成しても構わない。
【符号の説明】
【００１７】
１    支持ロッド
２    刈刃
３    刈刃切欠
４    鶏冠状の突起
【図１】
2012055237.tif 000003
【図２】
2012055237.tif 000004
【図３】
2012055237.tif 000005
【図４】
2012055237.tif 000006
【手続補正書】
【提出日】平成23年2月9日(2011.2.9)
【手続補正１】
【補正対象書類名】特許請求の範囲
【補正対象項目名】請求項１
【補正方法】変更
【補正の内容】
【請求項１】
駆動源に基端部が取り付けられた支持ロッドの先端に刈刃が取り付けられ、支持ロッド内を挿通した動力伝達手段を介して前記駆動源の動力が前記刈刃に伝達される刈払機であって、支持ロッドの延長線上における刈刃の刈刃切欠の近傍に達する鶏冠状の突起を刈刃表面と小許の隙間を介して支持ロッドに設けた刈払機であって、前記突起は垂直部のみの板状に形成されていて、突起の下面は刈払機の形状に対応した形状になっており、上面は先端から後端に向かって滑らかに上り傾斜になっていて、一部に平坦部が形成されているものであり、前記突起は、刈刃表面と刈刃が回転可能な隙間を介して支持ロッドに設けたことを特徴とする刈払機。
【手続補正２】
【補正対象書類名】明細書
【補正対象項目名】０００６
【補正方法】変更
【補正の内容】
【０００６】
本発明は、駆動源に基端部が取り付けられた支持ロッドの先端に刈刃が取り付けられ、支持ロッド内を挿通した動力伝達手段を介して前記駆動源の動力が前記刈刃に伝達される刈払機であって、支持ロッドの延長線上における刈刃の刈刃切欠の近傍に達する鶏冠状の突起を刈刃表面と小許の隙間を介して支持ロッドに設けた刈払機であって、前記突起は垂直部のみの板状に形成されていて、突起の下面は刈払機の形状に対応した形状になっており、上面は先端から後端に向かって滑らかに上り傾斜になっていて、一部に平坦部が形成されているものであり、前記突起は、刈刃表面と刈刃が回転可能な隙間を介して支持ロッドに設けたことを特徴とする。
【手続補正３】
【補正対象書類名】明細書
【補正対象項目名】０００７
【補正方法】変更
【補正の内容】
【０００７】
本発明の刈払機は、駆動源に基端部が取り付けられた支持ロッドの先端に刈刃が取り付けられ、支持ロッド内を挿通した動力伝達手段を介して前記駆動源の動力が前記刈刃に伝達される刈払機であって、支持ロッドの延長線上における刈刃の刈刃切欠の近傍に達する鶏冠状の突起を刈刃表面と小許の隙間を介して支持ロッドに設けた刈払機であって、前記突起は垂直部のみの板状に形成されていて、突起の下面は刈払機の形状に対応した形状になっており、上面は先端から後端に向かって滑らかに上り傾斜になっていて、一部に平坦部が形成されているものであり、前記突起は、刈刃表面と刈刃が回転可能な隙間を介して支持ロッドに設けたことを特徴とするものであるから、刈られた刈草は鶏冠状の突起に保持されるが、刈刃を地面と平行に左右に移動させるだけでその刈草を振るい落とすことができるという効果がある。
【手続補正書】
【提出日】平成23年7月29日(2011.7.29)
【手続補正１】
【補正対象書類名】特許請求の範囲
【補正対象項目名】請求項１
【補正方法】変更
【補正の内容】
【請求項１】
駆動源に基端部が取り付けられた支持ロッドの先端に刈刃が取り付けられ、支持ロッド内を挿通した動力伝達手段を介して前記駆動源の動力が前記刈刃に伝達される刈払機であって、支持ロッドの延長線上における刈刃の刈刃切欠の近傍に達する突起を刈刃表面と隙間を介して支持ロッドに設けた刈払機であって、前記突起は垂直部のみの板状に形成されていて、突起の下面は刈払機の形状に対応した形状になっており、上面は先端から後端に向かって滑らかに上り傾斜になっていて、一部に平坦部が形成されているものであり、前記突起は、刈刃表面と刈刃が回転可能な隙間を介して支持ロッドに設けたことを特徴とする刈払機。
【手続補正２】
【補正対象書類名】明細書
【補正対象項目名】０００６
【補正方法】変更
【補正の内容】
【０００６】
本発明は、駆動源に基端部が取り付けられた支持ロッドの先端に刈刃が取り付けられ、支持ロッド内を挿通した動力伝達手段を介して前記駆動源の動力が前記刈刃に伝達される刈払機であって、支持ロッドの延長線上における刈刃の刈刃切欠の近傍に達する突起を刈刃表面と隙間を介して支持ロッドに設けた刈払機であって、前記突起は垂直部のみの板状に形成されていて、突起の下面は刈払機の形状に対応した形状になっており、上面は先端から後端に向かって滑らかに上り傾斜になっていて、一部に平坦部が形成されているものであり、前記突起は、刈刃表面と刈刃が回転可能な隙間を介して支持ロッドに設けたことを特徴とする。
【手続補正３】
【補正対象書類名】明細書
【補正対象項目名】０００７
【補正方法】変更
【補正の内容】
【０００７】
本発明の刈払機は、駆動源に基端部が取り付けられた支持ロッドの先端に刈刃が取り付けられ、支持ロッド内を挿通した動力伝達手段を介して前記駆動源の動力が前記刈刃に伝達される刈払機であって、支持ロッドの延長線上における刈刃の刈刃切欠の近傍に達する突起を刈刃表面と隙間を介して支持ロッドに設けた刈払機であって、前記突起は垂直部のみの板状に形成されていて、突起の下面は刈払機の形状に対応した形状になっており、上面は先端から後端に向かって滑らかに上り傾斜になっていて、一部に平坦部が形成されているものであり、前記突起は、刈刃表面と刈刃が回転可能な隙間を介して支持ロッドに設けたことを特徴とするものであるから、刈られた刈草は鶏冠状の突起に保持されるが、刈刃を地面と平行に左右に移動させるだけでその刈草を振るい落とすことができるという効果がある。